(57)【要約】      （修正有）【課題】バランスよく使用できるとともに、把持部に工夫を施した杖を提供する。【解決手段】杖１００は、両手で握り得る把持部１１０と、把持部１１０の中央から垂下するロッド部１２０と、を備え、把持部１１０は、滑り止め部材１３０で被覆され、滑り止め部材１３０は、両手で握ったときに母指と示指にあたる部分を窪ませてある。【選択図】図１
0003225161.tif 000002
【実用新案登録請求の範囲】
【請求項１】
両手で握り得る把持部と、
前記把持部の中央から垂下するロッド部と、
を備え、
前記把持部は、滑り止め部材で被覆され、
前記滑り止め部材は、両手で握ったときに母指と示指にあたる部分を窪ませてあることを特徴とする杖。
【考案の詳細な説明】
【技術分野】
【０００１】
本考案は、人の歩行を補助するのに適した杖に関する。
【背景技術】
【０００２】
人の歩行を補助するのに杖が用いられている。従来の杖は、身体の左又は右において片手で保持し、体重の一部を杖に分担させることができるものである。従来の杖として、非特許文献１に開示されるものが知られている（非特許文献１参照）。非特許文献１には杖の種類と特徴について開示されている。
【先行技術文献】
【非特許文献】
【０００３】
【非特許文献１】インターネット＜ＵＲＬ：https://www.irs.jp/article/?p=289＞
【考案の概要】
【考案が解決しようとする課題】
【０００４】
しかしながら、非特許文献１に開示されるような一般的な杖では、杖を身体の左右の側方で用いるため、バランスが悪いという問題があった。また、杖を把持する部分になんらの工夫もなく、滑りやすいなどの問題もあった。
【０００５】
そこで、本考案は、このような問題に鑑みてなされたものであり、その目的とするところは、バランスよく使用できるとともに、把持部に工夫を施した杖を提供することにある。
【課題を解決するための手段】
【０００６】
上記課題を解決するために、本考案によれば、両手で握り得る把持部と、前記把持部の中央から垂下するロッド部と、を備え、前記把持部は、滑り止め部材で被覆され、前記滑り止め部材は、両手で握ったときに母指と示指にあたる部分を窪ませてあることを特徴とする杖が提供される。
【０００７】
かかる構成によれば、把持部を両手で握ることができるため、バランスよく使用できる。また、把持部分が滑り止め部材で被覆され、滑り止め部材は、両手で握ったときに母指と示指にあたる部分を窪ませてあることで、把持部を両手で握りやすい。
【考案の効果】
【０００８】
本考案によれば、バランスよく使用できるとともに、把持部に工夫を施した杖を提供することができる。本考案のその他の効果については、以下の考案を実施するための形態の項でも説明する。
【図面の簡単な説明】
【０００９】
【図１】杖１００の全体構成を概略的に示す図である。
【図２】把持部１１０の詳細を示す図である。
【図３】杖１００の使用方法を示す図である。
【考案を実施するための形態】
【００１０】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１１】
本考案の一実施形態について説明する。まず、本実施形態の杖１００の構成について、図１及び図２を参照しながら説明する。図１は、杖１００の全体構成を概略的に示す図である。図２は、把持部１１０の詳細を示す図である。
【００１２】
本実施形態にかかる杖１００は、図１に示したように、両手で握り得る把持部１１０と、把持部１１０の中央から垂下するロッド部１２０とを備える。把持部１１０は、滑り止め部材１３０で被覆されている。滑り止め部材１３０は、両手で握ったときに母指と示指にあたる部分を窪ませてあることを特徴とする。以下、各構成要素について詳細に説明する。
【００１３】
（把持部１１０）
把持部１１０は、使用者が両手でそれぞれ握る部分である。把持部１１０は、図１に示したように、円柱状であり、両手で把持できる長さである。把持部１１０は、マグネシウム合金で構成されている。把持部１１０を構成するマグネシウム合金は、比重が鉄の４分の１であり、アルミニウムの３分の２でかつ強度は２倍以上である。
【００１４】
把持部１１０を両手で把持することにより、起立訓練や立位バランス訓練などに利用でき、杖本来の歩行補助具としての機能に加え、リハビリテーション機器の要素を兼ね備えている。よって、杖１００を利用した訓練によって、歩行機能や起立機能の改善に寄与することができる。特に専門的な機器などが無い、自宅訓練において効果を発揮する。
【００１５】
（ロッド部１２０）
ロッド部１２０は、接地して体を支える部分である。ロッド部１２０は、図１に示したように、把持部１１０の中央から垂下する長尺状の部分である。ロッド部１２０は、上下に２分割されており、上ロッド部１２２内に下ロッド部１２４が昇降可能に挿入されている。上ロッド部１２２と下ロッド部１２４とが段階的に上下方向に相対移動することにより長さを調整可能である。上ロッド部１２２には、下ロッド部１２４を段階的に係止する係止部１２２ａが上下方向に複数設けられている。下ロッド部１２４の下端には、接地したときに滑ることを防止するキャップ１２６が設けられている。
【００１６】
（滑り止め部材１３０）
滑り止め部材１３０は、把持部１１０を握ったときに手が滑ることを防止するものである。滑り止め部材１３０は、図２に示したように、把持部１１０の左右にそれぞれ嵌め合わされている。滑り止め部材１３０には、両手で握ったときに母指（親指）と示指（人差し指）にあたる部分を窪ませた窪み１３０ａが形成されている。滑り止め部材１３０は、ウレタンなどのクッション性があり、滑りが防止された素材や、ゴムなどの素材で構成されていてもよい。
【００１７】
滑り止め部材１３０は、把持部１１０に対して着脱自在に設けてもよく、あるいは把持部１１０に対して着脱できないように一体に設けられてもよい。
【００１８】
以上、杖１００の構成について説明した。次に、杖１００の使い方について、図３を参照しながら説明する。図３は、杖１００の使用方法を示す図である。
【００１９】
杖１００の使用者は、図３に示したように、ロッド部１２０を挟んだ左右の把持部１１０を左右の手でそれぞれ把持する。把持部１１０を握ったときには、母指と示指が滑り止め部材１３０の窪み１３０ａを握るため、把持部１１０をしっかり握ることができる。使用者は、把持部１１０を両手で握ってロッド部１２０を体の正面に突いて歩行したり、椅子から立ち上がったりする。
【００２０】
（本実施形態の効果）
以上説明したように、本実施形態の杖１００によれば、把持部１１０を両手で握ることができるため、バランスよく使用できる。また、把持部１１０が滑り止め部材１３０で被覆され、滑り止め部材１３０は、両手で握ったときに母指と示指にあたる部分を窪ませてあることで、把持部１１０を両手で握りやすい。
【００２１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００２２】
例えば、上記実施形態では、滑り止め部材１３０は、両手で握ったときに母指と示指にあたる部分を窪み１３０ａが形成されている構成としたが、本発明はこの例に限定されず、把持部が握りやすくなるなら任意に設計することができる。例えば、全ての指に当たる部分を窪ませてもよい。
【産業上の利用可能性】
【００２３】
本考案は、人の歩行を補助するのに適した杖に利用可能である。
【符号の説明】
【００２４】
１００  杖
１１０  把持部
１２０  ロッド部
１２２  上ロッド部
１２２ａ  係止部
１２４  下ロッド部
１２６  キャップ
１３０  滑り止め部材
１３０ａ  窪み
【図１】
0003225161.tif 000003
【図２】
0003225161.tif 000004
【図３】
0003225161.tif 000005